(57)【要約】      （修正有）【課題】左右方向からの開閉によって容易に略直方体の箱を形成することが可能とするような折り畳み自在箱の構成を提供する。【解決手段】２本の前後方向直線状ラインに即して折り畳み自在とした略矩形状の外側板１に対し、外側板１の前後両外側端部及び左右両側端部又はこれらの端部付近において接続され、外側板１の前後方向幅の１／２以下の等しい上下方向幅を有している略矩形状の２枚の内側板２を外側板１に重畳した状態にて設け、２枚の内側板２についても２本の略矩形状の直線状ラインに即して折り畳み自在とし、内側板の左右両外側領域２２において、各対角線２２０の外側に位置している直角二等辺三角形の領域２２１を外側板１と固着状態とし、内側に位置している直角二等辺三角形の領域２２２を外側板１を離脱自在とするとともに、直角二等辺三角形の領域を着脱自在とすることに基づく折り畳み自在の箱。【選択図】図３
0003135860.tif 000002
【実用新案登録請求の範囲】
【請求項１】
左右両辺から等距離に位置している設けた２本の前後方向直線状ラインに即して折り畳み自在とした略矩形状の外側板に対し、当該外側板の前後両外側端部及び左右両側端部又はこれらの端部付近において接続され、外側板の前後方向幅の１／２以下の等しい前後方向幅を有している略矩形状の２枚の内側板を外側板に重畳した状態にて設け、当該２枚の内側板についても外側板の前記２本の前後方向直線状ラインと、左右方向を基準として略同一の位置に設けた２本の直線状のラインに即して折り畳み自在とし、内側板の前記２本のラインから左右両外側領域につき、各左右方向の長さと各前後方向の長さとを概略等しく設定したうえで、当該左右両外側領域において前後方向外側端部であって左右方向内側に端部である位置と、前後方向内側端部であって左右方向外側端部である位置とを結ぶ合計４本の各対角線に即して折り曲げ自在とし、かつ当該４本の各対角線を基準として前後方向及び左右方向外側に位置している直角二等辺三角形の領域につき、外側板と固着状態とし、当該４本の各対角線を基準として左右方向及び前後方向の内側に位置している直角二等辺三角形の領域については外側板と離脱自在とするとともに、前記外側に位置している直角二等辺三角形の領域と前記内側に位置している直角二等辺三角形の領域とを着脱自在とする素材を設けることによって、底部を外側板によって形成し、前後側部を内側板によって形成し、左右側部を外側板と内側板との二重構成によって形成し得ることに基づく折り畳み自在の箱。
【請求項２】
外側板の２本の直線状ラインに挟まれている中央領域の左右方向幅より大きい左右方向幅を有している蓋構成用板を、外側板の左右両端の一方側から外側板の前後方向幅を以って延設し、当該延設した位置から前記中央領域の左右方向幅以上の左右方向の距離に設けた１本の前後方向直線状ラインに即して前記蓋構成用板を折り畳み自在状態としていることを特徴とする請求項１記載の折り畳み自在箱。
【請求項３】
着脱自在の素材として対角線に即して内側板を折り曲げ箱を形成した場合、相互に向かい合う位置に吸着し合う磁石を採用するか、または吸着し合う磁石及び強磁性金属との組み合わせを採用することを特徴とする請求項３記載の折り畳み自在箱。
【請求項４】
着脱自在の素材として対角線に即して内側板を折り曲げ箱を形成した場合、相互に向かい合う位置に吸着テープを採用することを特徴とする請求項１記載の折り畳み自在箱。
【考案の詳細な説明】
【技術分野】
【０００１】
本考案は、内側板と外側板という２枚の板を重畳することによって、平板な矩形状態から直方形状の箱を成形すると共に、その逆の過程も可能である折り畳み自在箱に関するものである。
【背景技術】
【０００２】
折り畳み自在箱には、色々なタイプの構成が既に提唱されている。
【０００３】
しかしながら、従前の折り畳み自在箱の構成は、一枚の板から順次底部及び各側部、更には必要に応じては蓋部を形成しており、このため、折り畳みによって箱を形成すること事態、煩雑な作業を必要としていた。
【０００４】
例えば、特許文献１の折り畳み自在箱（多目的バインダー）及び特許文献２に示す折り畳み自在箱（半自動折り畳み可能箱）は、何れもそのような典型例であり、しかも特許文献１の場合には箱を形成するために、折り畳み自在の板の端部付近に切り込みを設け、特許文献２の場合には箱を形成するのにバネ片を採用するような複雑な構成を不可欠としている。
【０００５】
このように、従来技術における折り畳み自在箱は簡単な開閉作業によって箱の状態を形成することは不可能である。
【０００６】
【特許文献１】特開２００３−１９１６７５号公報
【特許文献１】特表２００６−５１３９３５号公報
【考案の開示】
【考案が解決しようとする課題】
【０００７】
本考案は、左右方向における開閉によって平板状態から容易に略直方体の箱を形成し、その逆の過程も可能であるような折り畳み自在箱の構成を提供することを課題としている。
【課題を解決するための手段】
【０００８】
前記課題を解決するため、本考案の基本構成は、左右両辺から等距離に位置している設けた２本の前後方向直線状ラインに即して折り畳み自在とした略矩形状の外側板に対し、当該外側板の前後両外側端部及び左右両側端部又はこれらの端部付近において接続され、外側板の前後方向幅の１／２以下の等しい前後方向幅を有している略矩形状の２枚の内側板を外側板に重畳した状態にて設け、当該２枚の内側板についても外側板の前記２本の前後方向直線状ラインと、左右方向を基準として略同一の位置に設けた２本の直線状のラインに即して折り畳み自在とし、内側板の前記２本のラインから左右両外側領域につき、各左右方向の長さと各前後方向の長さとを概略等しく設定したうえで、当該左右両外側領域において前後方向外側端部であって左右方向内側に端部である位置と、前後方向内側端部であって左右方向外側端部である位置とを結ぶ合計４本の各対角線に即して折り曲げ自在とし、かつ当該４本の各対角線を基準として前後方向及び左右方向外側に位置している直角二等辺三角形の領域につき、外側板と固着状態とし、当該４本の各対角線を基準として左右方向及び前後方向の内側に位置している直角二等辺三角形の領域については外側板と離脱自在とするとともに、前記外側に位置している直角二等辺三角形の領域と前記内側に位置している直角二等辺三角形の領域とを着脱自在とする素材を設けることによって、底部を外側板によって形成し、前後側部を内側板によって形成し、左右側部を外側板と内側板との二重構成によって形成し得ることに基づく折り畳み自在の箱からなる。
【考案の効果】
【０００９】
前記基本構成に基づき、本考案の場合には、左右両側において重畳されている外側板及び内側板を順次上側に移動させながら開くことによって、速やかに前記重畳に基づく平板状態から略直方体形状の箱を形成するとともに、前記外側板及び内側板を順次内側に移動させながら閉じることによって、速やかに略直方体の箱を前記平板状態に戻すことが可能となる。
【考案を実施するための最良の形態】
【００１０】
図３は、本考案において外側板１と内側板２とが重畳されている平板状態から、略直方体状の箱を形成する過程を示す。
【００１１】
即ち図３（ａ）のような重畳による平板状態においては、外側板１及び内側板２が共に２本の前後方向に沿った直線状ラインが左右方向略同一位置にて重畳した状態にあり、かつ外側板１及び内側板２においては、前記各２本の前後方向直線状ライン１０、２０によって区分されている左右両側領域１２、２２、中央領域１１、２１は相互に重畳された状態となっている（尚、図３においては、内側板２は外側板１の上側に重畳にした状態を示している。）。
【００１２】
これに対し、内側板２の中央領域に位置している内側端部を上側に引き起こした場合には、図３（ｂ）の上面図に示すように、内側板２のうち、左右両側領域２２は、前後方向の２本の前後方向直線状ライン２０を介して上側に順次回転するが、左右外側領域２２における合計４個の各対角線２２０において折り曲げ自在に設計されていることから、左右両側領域２２のうちの、頂点が左右方向及び前後方向の内側に位置している略二等辺直角三角形の領域２２２は、外側箱と離れた状態となるように回転し、その結果、内側箱の中央領域の部分もまた前記内側に位置している二等辺三角形領域２２２と同様上側に回転しており、頂点が左右方向及び前後方向の外側端に位置している略直角二等辺三角形の領域２２１は、固着されている外側板１と一体を為して上側に回転し、結局外側板１の左右両側領域１２もまた、前記外側端に位置している略直角二等辺三角形領域２２１と共に上側に回転することになる。
【００１３】
前記回転の結果、図３（ｃ）の上面図に示すように、略直方体の箱を形成することが可能となる。
【００１４】
図４に示すように、外側板１の２本の直線状ラインに挟まれている中央領域の左右方向幅より大きい左右方向幅を有している蓋構成用板３を、外側板１の左右両端の一方側から外側板１の前後方向幅を以って延設し、当該延設した位置から前記中央領域１１の左右方向幅以上の左右方向の距離に設けた１本の前後方向直線状ライン３０に即して前記蓋構成用板３を折り畳み自在状態としていることを特徴とする実施形態においては、前記のように延設した蓋構成用板部３を上側かつ中央領域側に回転させ、形成された箱の両端に蓋構成用板３を積載させることによって、蓋付の箱を形成することが可能となる。
【００１５】
延設した蓋構成用板３において設けられた前後方向直線状ライン３０に即して蓋構成用板３の左右方向外側端を折り曲げた場合には、図４に示すように、カバー部分３１は左右方向の他方側部を形成している外側用板１の左右両側領域１２をカバーすることになる。
【００１６】
本考案においては、内側板２の左右両側領域２２において、対角線２２０を境界として左右前後内側に位置している略二等辺直角三角形の領域２２１と、左右前後外内側に位置している略二等辺直角三角形の領域２２２とを着脱自在とする素材を設けることを要件としているが、このような素材としては、例えば粘着性ゴム又は膠状の粘着性物質を前記各領域に貼着する構成等を採用することができる。
【００１７】
以下前記素材に関する実施例に即して説明する。
【実施例１】
【００１８】
実施例１は、図１に示すように、着脱自在の素材として対角線２２０に即して内側板２を折り曲げ箱を形成した場合、相互に向かい合う位置に吸着し合う磁石を採用するか、または吸着し合う磁石４及び強磁性金属４（鉄、ニッケル、又はこれらの合金等）との組み合わせを採用することを特徴としている。
【００１９】
このような実施例１においては、内側板の中央領域２１、外側板１及び内側板２の左右両側領域１２、２２の回転によって略直方体の箱を形成した磁石４同士、又は磁石４と強磁性体金属４との吸着によって堅固な箱を形成すると共に、前記吸着関係を解消させて元の内側板と外側板との重畳による平板状態に復帰することができる。
【実施例２】
【００２０】
実施例２は、図２に示すように、着脱自在の素材として対角線２２０に即して内側板２を折り曲げ箱を形成した場合、相互に向かい合う位置に吸着テープ５を採用することを特徴としている。
【００２１】
実施例２においても実施例１と同様の作用効果を発揮することが可能である。
【産業上の利用可能性】
【００２２】
本考案は、所定の物を収容し、かつ形態するために必要な全ての箱の製造及び販売分野に適用することができる。
【図面の簡単な説明】
【００２３】
【図１】着脱自在とする構成として実施例１による具体例を示す平面図である。
【図２】着脱自在とする構成として実施例２を示す平面図である。
【図３】本考案の基本構成を示しており、（ａ）は、内側板と外側板とが重畳された状態を示す上面図であり、（ｂ）は内側板に中央領域、及び内側板並びに外側板の左右両側領域を回転させることによって略直方体形状の箱を形成する中途段階の状態を示す上面図であり、（ｃ）は略直方体の箱が形成された場合の上面図を示している。
【図４】蓋用板を延設した実施例の構成を示しており、（ａ）は箱を形成する前段階の上面図を示しており、（ｂ）は箱を形成した後の側面図を示している。
【符号の説明】
【００２４】
１  外側板
１０  外側板の前後方向ライン
１１  外側板の中央領域
１２  外側板の左右両側領域
２  内側板
２０  前後方向ライン
２１  内側板の中央領域
２２  内側板の左右両側領域
２２０  対角線
２２１  上記左右両側領域のうちの、対角線を基準とした場合の左右前後外側直角二等辺三角形の領域
２２２  上記左右両側領域のうちの、対角線を基準とした場合の左右前後内側直角二等辺三角形の領域
３  蓋構成用板
３０  蓋構成用板の前後方向直線状ライン
３１  カバー部分
４  磁石又は強磁性金属
５  吸着テープ
【図１】
0003135860.tif 000003
【図２】
0003135860.tif 000004
【図３】
0003135860.tif 000005
【図４】
0003135860.tif 000006
【手続補正書】
【提出日】平成19年7月20日(2007.7.20)
【手続補正１】
【補正対象書類名】実用新案登録請求の範囲
【補正対象項目名】請求項３
【補正方法】変更
【補正の内容】
【請求項３】
着脱自在の素材として対角線に即して内側板を折り曲げ箱を形成した場合、相互に向かい合う位置に吸着し合う磁石を採用するか、または吸着し合う磁石及び強磁性金属との組み合わせを採用することを特徴とする請求項１記載の折り畳み自在箱。